(57)【要約】【課題】所定の閾値を下回る電圧が入力された場合に、電球形蛍光ランプ装置を消灯する。【解決手段】点灯回路５と蛍光管４を同一の筐体に収容してなる電球形蛍光ランプ１において、電球形蛍光ランプ１に入力される入力電圧を検知して、当該入力電圧が所定の閾値を下回った場合に蛍光管４を消灯する消灯回路１０を備える。また、点灯回路１０は交流電源１１から供給される交流電力を直流化する整流回路７と整流回路７の出力を高周波電力に変換して蛍光管４に供給すインバータ回９路を有して、消灯回路１０は、整流回路７の出力電圧を検知する【選択図】図２
2009272180.tif 000002
【特許請求の範囲】
【請求項１】
点灯回路と蛍光管を同一の筐体に収容してなる電球形蛍光ランプにおいて、
入力電圧を検知して、当該入力電圧が所定の閾値を下回った場合に前記蛍光管を消灯する消灯手段を備える
ことを特徴とする電球形蛍光ランプ。
【請求項２】
前記点灯回路は電源から供給される交流電力を直流化する整流回路と前記整流回路の出力を高周波電力に変換して前記蛍光管に供給すインバータ回路を有するとともに、
前記消灯手段は、前記整流回路の出力電圧を検知する
ことを特徴とする請求項１に記載の電球形蛍光ランプ。
【請求項３】
前記消灯手段は、前記整流回路の出力電圧を平滑化する平滑化回路をさらに有するとともに、
前記消灯手段は、前記平滑化回路による平滑化後の前記整流回路の出力電圧を検知する
ことを特徴とする請求項２に記載の電球形蛍光ランプ。
【請求項４】
前記消灯手段は、前記整流回路の出力電圧が所定の閾値を下回った場合に前記インバータ回路の発振を強制停止する
ことを特徴とする請求項２に記載の電球形蛍光ランプ。
【請求項５】
前記消灯手段は、第１および第２の抵抗器とツェナーダイオードとトランジスタから構成され、
前記第１の抵抗器と前記第２の抵抗器は前記整流回路の出力端子に直列に接続されて、前記整流回路の出力電圧を分圧し、
前記ツェナーダイオードのカソード端子は前記第１の抵抗器と前記第２の抵抗器の中間に接続され、
前記ツェナーダイオードのアノード端子は前記トランジスタのベース端子に接続され、  前記トランジスタのコレクタ端子は前記インバータ回路に接続され、
前記トランジスタのエミッタ端子は前記整流回路の出力の低電位側に接続される
ことを特徴とする請求項３に記載の電球形蛍光ランプ。
【請求項６】
前記消灯手段は、
前記整流回路の入力電圧を検知する
ことを特徴とする請求項１に記載の電球形蛍光ランプ。
【請求項７】
インジケータランプを備えて、入力電圧が所定の閾値を下回った場合に前記インジケータランプを点灯させる
ことを特徴とする請求項１に記載の電球形蛍光ランプ。
【請求項８】
前記インジケータランプは、発光ダイオードである
ことを特徴とする請求項７に記載の電球形蛍光ランプ。
【発明の詳細な説明】
【技術分野】
【０００１】
本発明は、電球形蛍光ランプに関する。
【背景技術】
【０００２】
電球形の筐体の中に、蛍光管と点灯回路を収容してなる電球形蛍光ランプが知られている（例えば、特許文献１）。また、電球形蛍光ランプは白熱電球用のソケットに装着可能な口金を備えているので、白熱電球を使用する照明器具に取り付けて、消費電力の低減を図ることができる。
【０００３】
また、白熱電球を使用する照明器具の中には、調光器を備えるものがある。調光器は、端的に言えば、電源と白熱電球の間に配置された可変抵抗器であって、抵抗の大きさを変えることによって、白熱電球に入力される電圧を変えて、白熱電球の明るさを調整する装置である。
【０００４】
前述したように、電球形蛍光ランプは白熱電球と互換性があるから、白熱電球用の調光器を備える照明器具に取り付けて使用される場合がある。
【０００５】
【特許文献１】特開２００４−１０３３１５号公報
【発明の開示】
【発明が解決しようとする課題】
【０００６】
一般に、電子回路製品は熱的ストレスに曝されると故障しやすいという問題がある。電子回路製品である電球形蛍光ランプの点灯回路は、発熱源である蛍光管と同一の筐体の中に収容されているので、大きな熱的ストレスが加わる非常に厳しい環境に置かれている。このような電球形蛍光ランプを、白熱電球用の調光器を備える照明器具に取り付けた場合に、調光器の操作によって、所定外の入力電圧が電球形蛍光ランプに入力されると、安定器の異常発熱、異音の発生、調光器の設定に応じた光出力が得られないなど、予期しない動作、状況を引き起こすという問題があった。
【０００７】
本発明は、このような背景に鑑みてなされたものであり、所定の閾値を下回る電圧が入力された場合に蛍光管を消灯する消灯手段を備える電球形蛍光ランプを提供するものである。
【課題を解決するための手段】
【０００８】
本発明に係る電球形蛍光ランプは、点灯回路と蛍光管を同一の筐体に収容してなる電球形蛍光ランプにおいて、入力電圧を検知して、当該入力電圧が所定の閾値を下回った場合に前記蛍光管を消灯する消灯手段を備えることを特徴とする。
【発明の効果】
【０００９】
本発明によれば、当該入力電圧が所定の閾値を下回った場合に前記蛍光管を消灯するので、調光器の操作等によって生じる電球形蛍光ランプの不具合を防止することができる。
【発明を実施するための最良の形態】
【００１０】
以下、本発明を実施するための最良の形態について説明する。
【００１１】
図１は、本発明に係る電球形蛍光ランプの概念的な構成を示す構成図である。図１に示すように、電球形蛍光ランプ１は、口金２とバルブ３を備え、バルブ３の中に蛍光管４と点灯回路５を収容して構成されているので、白熱電球用のソケットに装着するだけで、蛍光管４を点灯できる。
【００１２】
口金２は、家庭用の白熱灯照明器具のねじ込み式ソケット（例えばＥ２６）に装着可能なねじ込み式の口金である。バルブ３は、電球形蛍光ランプ装置１の外郭を形成する筐体であって、電球形蛍光ランプ１に相当する（同じ光出力を備える）白熱灯と同形同大のガラス球である。
【００１３】
蛍光管４は、内面に蛍光物質を塗布したガラス管の中に放電用の電極を取付け、少量のアルゴンガスと水銀を封入して構成される。点灯回路５は、口金２を経由して電源（一般に商用の交流電源）から供給される交流電流を、直流に変換して、更に、高周波に変換して蛍光管４に供給する回路であり、蛍光管４内で放電を発生させ、維持する電気回路である。
【００１４】
図２は、点灯回路５の概念的な構成を示す構成図である。図２に示すように、点灯回路は、フィルタ回路６、整流回路７、平滑回路８，インバータ回路９及び消灯回路１０を備える。
【００１５】
フィルタ回路６は、口金２を経由して交流電源１１から供給される交流電力に含まれるノイズを除去する回路であり、フィルタ回路６でノイズが除去された交流電力は、整流回路７で直流に変換される。整流回路７で変換された直流電流に残るリプルは、平滑回路８で除去されて、リプルのない平滑な電流がインバータ回路９に供給される。インバータ回路９は、供給された電流を高周波に変換して、蛍光管４を点灯する。
【００１６】
消灯回路１０は、平滑回路８の高電位側出力端子１２と低電位側出力端子１３に接続されて、両出力端子間の電位差、つまり、平滑回路８の出力電圧を検知し、平滑回路８の出力電圧が所定の閾値を下回った場合に、停止信号をインバータ回路９に送る。該停止信号を受信したインバータ回路９は、高周波の発振を停止し、蛍光管４を消灯する。
【００１７】
電球形蛍光ランプ１は、このように構成されているので、図示しない調光器の操作によって、電球形蛍光ランプ１への入力電圧が低下すると、消灯回路１０がそれを検知して、蛍光管４を消灯するので、入力電圧の低下に起因する不具合が生じることがない。
【００１８】
図３は、消灯回路１０の具体的な構成例を示す構成図である。図３に示すように、消灯回路１０は、第１の抵抗器１４、第２の抵抗器１５、ツェナーダイオード１６およびトランジスタ１７から構成される。
【００１９】
第１の抵抗器１４の一端は、平滑回路８の高電位側出力端子１２に接続され、他端は第２の抵抗器１５に接続される。そして、第２の抵抗器１５の他端は平滑回路８の低電位側出力端子１３に接続される。つまり、第１の抵抗器１４および第２の抵抗器１５は、平滑回路８の出力端子１２，１３の間に直列に接続されて、平滑回路８の出力電圧を分圧する。
【００２０】
ツェナーダイオード１６のカソード端子は第１の抵抗器１４と第２の抵抗器１５の間のノードに接続され、ツェナーダイオード１６のアノード端子はトランジスタ１７のベース端子に接続される。そして、トランジスタ１７のコレクタ端子はインバータ回路９に接続され、エミッタ端子は平滑回路８の低電位側出力端子１３に接続される。
【００２１】
なお、第１の抵抗器１３及び第２の抵抗器１４の抵抗値は、平滑回路８の出力電圧が所定の閾値、つまりそれを下回ると電球形蛍光ランプ装置１に不具合が生じる電圧になった時、第２の抵抗器１４の両端に加わる電圧が、ツェナーダイオード１５の降伏電圧になるような値を選ぶ。
【００２２】
また、インバータ回路９は、インバータ回路９からトランジスタ１７のコレクタ端子に電流が流れている場合に高周波発振を行い、前記電流が停止すると、高周波発振を停止するように構成する。
【００２３】
このように構成されているので、平滑回路８の出力電圧が前記閾値より高い場合は、ツェナーダイオード１６のカソード端子とトランジスタ１７のエミッタ端子の間に、降伏電圧より高い電圧が加わるから、前記カソード端子と前記エミッタ端子の間に電流が流れる。そのため、トランジスタ１７のコレクタ端子とエミッタ端子の間に電流が流れる。つまり、インバータ回路９からトランジスタ１７のエミッタ端子に向けて電流が流れる。この場合はインバータ回路９が高周波発振を行うから、蛍光管４が点灯する。
【００２４】
一方、平滑回路８の出力電圧が前記閾値を下回ると、ツェナーダイオード１６のカソード端子とトランジスタ１７のエミッタ端子の間の電圧が、降伏電圧を下回るから、前記カソード端子と前記エミッタ端子の間に電流が流れなくなる。そのため、トランジスタ１７のコレクタ端子とエミッタ端子の間に電流が流れなくなる。つまり、インバータ回路９からトランジスタ１７のエミッタ端子に向けて電流が流れなくなる。この場合はインバータ回路９が高周波発振を停止するから、蛍光管４は消灯する。
【００２５】
このように、電球形蛍光ランプ１は、調光器等の操作によって入力電圧が低下すると、自動的に消灯して、入力電圧の低下に起因する不具合を未然に防止できるが、電球形蛍光ランプ１の消灯が、この機能による正常な現象なのか、他の原因による異常な現象なのかを使用者が判断できずに混乱する可能性がある。そこで、バルブ３の内部に、インジケータランプ（例えば、発光ダイオード）を備えて、入力電圧の低下によって蛍光管４が消灯した時に、前記インジケータランプが点灯するように構成すれば、蛍光管４の消灯が正常な現象であることが、即座に判断できる。また、インジケータランプの光色を蛍光ランプ４の光色と異なるようにすれば、更によい。
【００２６】
なお、本実施形態では、消灯回路１０を平滑回路８とインバータ回路９の間に配置して、平滑回路８の出力電圧を検知するように構成したが、蛍光管４に印加される電圧を直接又は間接に検知できるならば、消灯回路１０を何処に配置してもよい。例えば、消灯回路１０を整流回路７と平滑回路８の間に配置して、整流回路７の出力電圧を検知するようにしてもよいし、フィルタ回路６と整流回路７の間に配置して、整流回路７の出力電圧を検知するようにしてもよい。
【００２７】
また、本実施形態では、消灯回路１０を、分圧抵抗とツェナーダイオード及びトランジスタで構成した例を示したが、本発明の技術的範囲はこれに限定されるものではない。各種の公知の電圧検知手段とスイッチング手段を適宜組み合わせて、消灯回路１０を実現できることは言うまでもない。
【図面の簡単な説明】
【００２８】
【図１】本発明に係る電球形蛍光ランプ装置の概念的な構成を示す構成図である。
【図２】点灯回路の概念的な構成を示す構成図である。
【図３】消灯回路の具体的な構成例を示す構成図である。
【符号の説明】
【００２９】
１  電球形蛍光ランプ
２  口金
３  バルブ
４  蛍光管
５  点灯回路
６  フィルタ回路
７  整流回路
８  平滑回路
９  インバータ回路
１０  消灯回路
１１  交流電源
１２  高電位側出力端子
１３  低電位側出力端子
１４  第１の抵抗器
１５  第２の抵抗器
１６  ツェナーダイオード
１７  トランジスタ
【図１】
2009272180.tif 000003
【図２】
2009272180.tif 000004
【図３】
2009272180.tif 000005